(57)【特許請求の範囲】
【請求項１】
サービス処理方法であって、
確定ユニットがクライアントのサービス使用情報に基づいて、サービスの予約量及び前記サービスの使用量を確定することであって、前記サービス使用情報は各クライアントにより予約され、各クライアントにより使用されるオフラインサービス又はオンラインサービスの情報である、ことと、
特徴値処理ユニットが、特徴値ストラテジーに基づいて前記サービスの予約量、前記サービスの使用予約比率パラメータに対して処理し、前記サービスの特徴値を得ることであって、対数演算子又は比率演算子を採用する第一因数を使用して前記サービスの予約量に対して調整処理を行って第一パラメータを得ることと、冪指数演算子を採用する第二因数と第三因数を使用して前記サービスの使用予約比率パラメータに対して調整処理を行って第二パラメータを得ることと、前記第一パラメータと前記第二パラメータに基づいて前記サービスの特徴値を確定することとを含み、前記サービスの使用予約比率パラメータは前記サービスの使用量と前記サービスの予約量の比率であり、前記サービスの特徴値は前記サービスの品質と前記サービスの推奨度を表す、ことと、
呼び出しユニットが前記クライアントのグラフィカルインターフェースを呼び出して前記サービスの特徴値のランキング結果を表示することと、を含む、前記サービス処理方法。
【請求項２】
前記確定ユニットが前記サービスの予約量及び前記サービスの使用量を確定することは、
グローバル次元の前記サービスの予約量及びグローバル次元の前記サービスの使用量を確定すること、及び／又は
ローカル次元の前記サービスの予約量及びローカル次元の前記サービスの使用量を確定すること、を含む
請求項１に記載のサービス処理方法。
【請求項３】
前記呼び出しユニットが前記クライアントのグラフィカルインターフェースを呼び出して前記サービスの特徴値のランキング結果を表示することは、
前記クライアントのグラフィカルインターフェースを呼び出してグローバル次元の前記サービスの特徴値のランキング結果を表示すること、及び／又は
前記クライアントのグラフィカルインターフェースを呼び出してローカル次元の前記サービスの特徴値のランキング結果を表示すること、を含む
請求項１に記載のサービス処理方法。
【請求項４】
前記呼び出しユニットが前記クライアントのグラフィカルインターフェースを呼び出して前記サービスの特徴値のランキング結果を表示することは、
前記クライアントの属性情報と候補ローカル次元の属性情報をマッチングし、マッチング度が最も高い少なくとも１つのローカル次元を得ることと、
前記クライアントのグラフィカルインターフェースを呼び出して前記少なくとも１つのローカル次元の前記サービスの特徴値のランキング結果を表示することと、を含む
請求項１に記載のサービス処理方法。
【請求項５】
前記特徴値処理ユニットが前記対数演算子又は前記比率演算子を採用する前記第一因数を使用して前記サービスの予約量に対して調整処理を行って前記第一パラメータを得ることは、前記第一パラメータは(download)/ta、又は(download+send)/ta、又はloga(download)であり、aは第一因数であり、downloadはサービスの予約量であり、sendはサービスの使用量であり、tはサービスの登録時間長さであり、
前記特徴値処理ユニットが前記冪指数演算子を採用する前記第二因数と前記第三因数を使用して前記サービスの使用予約比率パラメータに対して調整処理を行って前記第二パラメータを得ることは、前記第二パラメータは1+k(send/download)bであり、kは第二因数であり、bは第三因数であり、
前記第一パラメータと前記第二パラメータに基づいて前記サービスの特徴値を確定することは、yを使用して前記特徴値を表す場合、前記特徴値は以下のいずれか一つの式、すなわち、
【数１】
0006585820.tif 000003
を採用して表す、
請求項１に記載のサービス処理方法。
【請求項６】
前記特徴値処理ユニットが登録時間長さが予め設定された時間長さを超えるとともに、特徴値が予め設定された特徴値を超えるサービスの数が、予め設定された数より小さくなるまで、前記第一因数を調整することを更に含む
請求項５に記載のサービス処理方法。
【請求項７】
サーバであって、
クライアントのサービス使用情報に基づいて、サービスの予約量及び前記サービスの使用量を確定するように構成される確定ユニットであって、前記サービス使用情報は各クライアントにより予約され、各クライアントにより使用されるオフラインサービス又はオンラインサービスの情報である、確定ユニットと、
特徴値ストラテジーに基づいて前記サービスの予約量、前記サービスの使用予約比率パラメータに対して処理し、前記サービスの特徴値を得るように構成される特徴値処理ユニットであって、前記特徴値処理ユニットは、対数演算子又は比率演算子を採用する第一因数を使用して前記サービスの予約量に対して調整処理を行って第一パラメータを得るように構成される第一演算モジュールと、冪指数演算子を採用する第二因数と第三因数を使用して前記サービスの使用予約比率パラメータに対して調整処理を行って第二パラメータを得るように構成される第二演算モジュールと、前記第一パラメータと前記第二パラメータに基づいて前記サービスの特徴値を確定するように構成される第三演算モジュールとを含み、前記サービスの使用予約比率パラメータは前記サービスの使用量と前記サービスの予約量の比率であり、前記サービスの特徴値は前記サービスの品質と前記サービスの推奨度を表す、特徴値処理ユニットと、
前記クライアントのグラフィカルインターフェースを呼び出して前記サービスの特徴値のランキング結果を表示するように構成される呼び出しユニットと、を備える、前記サーバ。
【請求項８】
前記確定ユニットは、グローバル次元の前記サービスの予約量及びグローバル次元の前記サービスの使用量を確定するように構成され、及び／又は
ローカル次元の前記サービスの予約量及びローカル次元の前記サービスの使用量を確定するように構成される
請求項７に記載のサーバ。
【請求項９】
前記呼び出しユニットは、前記クライアントのグラフィカルインターフェースを呼び出してグローバル次元のサービスの特徴値のランキング結果を表示するように構成され、及び／又は
前記クライアントのグラフィカルインターフェースを呼び出してローカル次元のサービスの特徴値のランキング結果を表示するように構成される
請求項７に記載のサーバ。
【請求項１０】
前記呼び出しユニットは、
前記クライアントの属性情報と候補ローカル次元の属性情報をマッチングし、マッチング度が最も高い少なくとも１つのローカル次元を得るように構成されるマッチングモジュールと、
前記クライアントのグラフィカルインターフェースを呼び出して前記少なくとも１つのローカル次元の前記サービスの特徴値のランキング結果を表示するように構成される呼び出しモジュールと、を備える
請求項７に記載のサーバ。
【請求項１１】
前記第一演算モジュールは、前記第一パラメータは(download)/ta、又は(download+send)/ta、又はloga(download)であり、aは第一因数であり、downloadはサービスの予約量であり、sendはサービスの使用量であり、tはサービスの登録時間長さであるように構成され、
前記第二演算モジュールは、前記第二パラメータは1+k(send/download)bであり、kは第二因数であり、bは第三因数であるように構成され、
前記第三演算モジュールは、yを使用して前記特徴値を表す場合、前記特徴値は以下のいずれか一つの式、すなわち、
【数２】
0006585820.tif 000004
を採用して表すように構成される
請求項７に記載のサーバ。
【請求項１２】
前記特徴値処理ユニットは、
登録時間長さが予め設定された時間長さを超えるとともに、特徴値が予め設定された特徴値を超えるサービスの数が、予め設定された数より小さくなるまで、前記第一因数を調整するように構成される調整モジュールを更に備える
請求項１１に記載のサーバ。
【請求項１３】
請求項１〜６のいずれか１項に記載のサービス処理方法をコンピュータに実行させる命令を有するコンピュータプログラム。
【請求項１４】
請求項１３に記載されるコンピュータプログラムを保存する記憶媒体。
【発明の詳細な説明】
【技術分野】
【０００１】
本発明は通信分野のインターネット技術に関し、特にサービス処理方法、サーバ及びコンピュータ記憶媒体に関する。
【背景技術】
【０００２】
インターネットの発展に伴い、端末、特に移動端末において、ソーシャルアプリケーションがますます広く使用されている。ソーシャルアプリケーション（例えば、ＷｅＣｈａｔやＱＱ）は基本的なソーシャル機能を有し、即ちユーザの間のソーシャル活動の通路としての役割をし、例えば音声通信、ショートメッセージ通信、情報共有（写真、ビデオ、ウェブページなど）である。
【０００３】
少なくとも次の問題がある。ソーシャルアプリケーションが各種のサービスを集積して一体化（Ａｌｌ−Ｉｎ−Ｏｎｅ）する場合、同じタイプのサービスにおいて、ユーザが使用しようとするサービスを迅速に選択するために、異なるサービスの品質（又はユーザ指向の推奨度）をどのように正確に確定するかということについて、関連技術において、有効に解決できる技術案はまだ存在しない。
【発明の概要】
【課題を解決するための手段】
【０００４】
本発明の実施形態は、サービス処理方法、サーバ及びコンピュータ記憶媒体を提供して、異なるサービスの品質を正確に確定することができ、ユーザが高品質のサービスを選択して使用するようにサポートすることにある。
【０００５】
本発明の実施形態は下記のように実現される。
【０００６】
第１の態様において、本発明の実施形態はサービス処理方法を提供し、前記サービス処理方法は、
クライアントのサービス使用情報に基づいて、サービスの予約量及び前記サービスの使用量を確定することと、
特徴値ストラテジーに基づいて前記サービスの予約量および前記サービスの使用予約比率パラメータを処理し、前記サービス毎の特徴値を得ることと、
前記クライアントのグラフィカルインターフェースを呼び出して前記サービスの特徴値のランキング結果を表示することと、を含み、
前記サービスの使用予約比率パラメータは、前記サービスの予約量及び前記サービス毎の使用量に基づいて確定される。
【０００７】
第２の態様において、本発明の実施形態はサーバを提供し、前記サーバは、
クライアントのサービス使用情報に基づいて、サービスの予約量及び前記サービスの使用量を確定するように構成される確定ユニットと、
特徴値ストラテジーに基づいて前記サービスの予約量および前記サービスの使用予約比率パラメータを処理し、前記サービス毎の特徴値を得るように構成される特徴値処理ユニットと、
前記クライアントのグラフィカルインターフェースを呼び出して前記サービスの特徴値のランキング結果を表示するように構成される呼び出しユニットと、を備え、
前記サービスの使用予約比率パラメータは、前記サービスの予約量及び前記サービス毎の使用量に基づいて確定される。
【０００８】
第３の態様において、本発明の実施形態はコンピュータ記憶媒体を提供し、前記コンピュータ記憶媒体には、本発明の実施形態に記載のサービス処理方法を実行するための実行可能な命令が格納される。
【０００９】
本発明の実施形態において、サービスの特徴値がサービスの使用情報を表すように構成されてよく、また、特徴値ストラテジーは、前記サービスの予約量及び各前記サービスの使用量に基づいて使用された使用予約比率パラメータを確定し、使用予約比率パラメータがサービスの使用とサービスの予約量の比率である。サービスの予約量を単一に使用すること又はサービスの使用量を単一に使用することと比較して、あるクライアントが一部のサービスを過度に集中的に使用してこれらのサービスの特徴値が高くなり過ぎる問題を解決することができ、特徴値のランキング結果に基づいて、ユーザのサービス予約の参考となるサービスの品質又は推奨度を表示して、ユーザが高品質のサービスを選択して使用するようにサポートする。
【図面の簡単な説明】
【００１０】
【図１】本発明の実施形態によるサービス処理方法を実現するフローチャート一である。
【図２】本発明の実施形態によるサービス処理方法を実現するフローチャート二である。
【図３】本発明の実施形態によるサービス処理方法を実現するフローチャート三である。
【図４】本発明の実施形態によるサービス処理方法を実現するフローチャート四である。
【図５】本発明の実施形態によるＷｅＣｈａｔ顔文字の特徴値を示す図一である。
【図６】本発明の実施形態によるＷｅＣｈａｔ顔文字の特徴値を示す図二である。
【図７】本発明の実施形態によるＷｅＣｈａｔ顔文字の特徴値を示す図三である。
【図８】本発明の実施形態によるサービス処理方法を実現するフローチャート五である。
【図９】本発明の実施形態によるサービス処理のクライアントとサーバの通信を示す図一である。
【図１０】本発明の実施形態によるサービス処理のクライアントとサーバの通信を示す図二である。
【図１１】本発明の実施形態によるサービス処理のクライアントとサーバの通信を示す図三である。
【図１２】本発明の実施形態によるサービス処理のクライアントとサーバの通信を示す図四である。
【図１３】本発明の実施形態によるサーバの機能構成を示す図である。
【図１４】本発明の実施形態によるサーバのハードウェア構成を示す図である。
【発明を実施するための形態】
【００１１】
以下、図面及び実施形態を参照し、本発明を更に詳しく説明する。ここで説明された具体的な実施形態はただ本発明を説明するように用いられ、本発明を限定するわけではないことを理解すべきである。
【００１２】
本発明の実施形態の旨としては、サービスの特徴値に基づいてサービスに対してランク付けし、クライアントにランキング結果を表示させ、これによってユーザがランキング結果を参照してサービスを予約することができる。ここでのサービスは、クライアント（各種の形態のソーシャルアプリケーション、例えばＷｅＣｈａｔ、ＱＱなど）で予約することができ、クライアントで使用できるオフラインサービス又はオンラインサービスである。
【００１３】
オンラインサービスは、インターネット（オンライン）上で取得する且つオンラインで使用するサービスであり、ゲーム、Ｅ−ショッピング（例えば、ユーザがクライアントでインターネットにおいてショッピングサービスを予約し、その後、ショッピングサービスを使用して商品を注文してよい）、チャット顔文字（ｃｈａｔｔｉｎｇ  ｅｍｏｔｉｏｎ）（クライアントで通信するときに使用できる顔文字であり、例えば、ユーザがクライアントでチャット顔文字を予約し、その後、クライアントを使用して他のクライアントと通信するときに該チャット顔文字の顔文字を使用してよい）、及び表示テーマ（クライアントが置き換えることができる表示効果であり、１つのテーマを予約すれば、その後、クライアントのデフォルトテーマの代わりに該テーマを使用するように、クライアントで設定して、クライアントの表示効果のパーソナライズを実現することができる）。
【００１４】
サービスはオフラインサービスを含めてよく、インターネットで取得する且つインターネット以外で使用するサービスであり、例えば、飲食、ハウスキーピングなどである。例えば、ユーザは、クライアントでテイクアウェイサービスを予約する場合、その後、該サービスを使用して対応のレストランのテイクアウェイフードを注文することができる。
【００１５】
実施形態の一例において、図１に示すような本発明の実施形態によるサービス処理方法の好ましいプロセスを示す図であり、以下のステップを含む。
【００１６】
ステップＳ１０１：クライアントのサービス使用情報に基づいて、グローバル次元のサービスの予約量及びグローバル次元のサービスの使用量を確定する。
【００１７】
サーバは、以下の方式で予約量及び使用量を確定し、全てのクライアントのサービス使用情報を解析することができる。集計しようとするユーザにおける各クライアントが予約したサービス及び各クライアントが使用した予約のサービスの数を確定する。各サービスに対して、該サービスの識別子に基づいて該サービスを予約したクライアントの数がグローバル次元の該サービスの予約量（グローバル次元の該サービスの予約量は、サービスを予約した全てのクライアントの数である）であることを解析し、また、該サービスの識別子に基づいてサービスが全てのクライアントによって使用された回数がグローバル次元におけるサービスの使用量であることを解析する。各サービスに対して上記の処理を実行して、グローバル次元における各サービスの予約量及びグローバル次元におけるサービスの使用量を確定することができる。
【００１８】
以下、サービスの異なる例示を参照して説明する。
【００１９】
１）ＷｅＣｈａｔなどのソーシャルアプリケーションでチャットする間に使用しているＷｅＣｈａｔ顔文字であるサービスを例として説明する。クライアント（ＷｅＣｈａｔを実行するクライアント）は、クライアント自身が予約（この予約はダウンロードしてインストールすることである）した顔文字、及び予約した顔文字の使用量（１つの顔文字を送信するのは予約の顔文字を一回使用することに相当する）をサーバに送信する。サーバは、ＷｅＣｈａｔ顔文字の識別子（名称又は番号）に基づいて全てのクライアントにおける同じＷｅＣｈａｔ顔文字を予約したクライアントの数、及び該ＷｅＣｈａｔ顔文字を予約したクライアントが、該ＷｅＣｈａｔ顔文字を使用した回数（即ち使用量）を解析することができる。
【００２０】
２）ゲームであるサービスを例として説明する。クライアント（ＷｅＣｈａｔを実行するクライアント）は、クライアント自身が予約（この予約はダウンロードしてインストールすることである）したゲーム、及び予約したゲームの使用量（ゲームを一回実行するのは一回使用することに相当する）をサーバに送信する。サーバは、ゲームの識別子（名称又は番号）に基づいて全てのクライアントにおける同じゲームを予約したクライアントの数及び該ゲームを予約したクライアントが、該ゲームを使用する回数（即ち使用量）を解析することができる。
【００２１】
３）Ｅ−ショッピングであるサービスを例として説明する。クライアント（ＷｅＣｈａｔを実行するクライアント）は、クライアント自身が予約（この予約はＥ−ショッピングアプリケーションをダウンロードしてインストールすることである）したＥ−ショッピングサービス（例えば、各販売業者によって提供された各自のＥ−ショッピングプラットフォームでの商品購買のサービス）、及び予約したＥ−ショッピングの使用量（Ｅ−ショッピングアプリケーションを一回実行するのは一回使用することに相当する）をサーバに送信する。サーバは、Ｅ−ショッピングアプリケーションの識別子（例えば名称又は番号）に基づいて全てのクライアントにおける同じＥ−ショッピングサービスを予約したクライアントの数、及び該Ｅ−ショッピングサービスを予約したクライアントが、該Ｅ−ショッピングサービスを使用する回数（即ち使用量）を解析することができる。
【００２２】
４）フード注文であるサービス（すなわち、食品を注文するサービス）を例として説明する。クライアント（ＷｅＣｈａｔを実行するクライアント）は、クライアント自身が予約（この予約はフード注文サービス機能をダウンロードしてインストールすることである）したフード注文サービス（例えばｍｅｉｔｕａｎテイクアウェイやｅｌｅｍｅテイクアウェイ）、及び予約したフード注文サービスの使用量（フード注文サービス機能を一回実行するのは一回使用することに相当する）をサーバに送信する。サーバは、フード注文サービスの識別子（例えば名称又は番号）に基づいて全てのクライアントにおける同じフード注文サービスを予約したクライアントの数、及び該フード注文サービスを予約したクライアントが、該フード注文サービスを使用する回数（即ち使用量）を解析することができる。
【００２３】
ステップＳ１０２：特徴値ストラテジーに基づいてサービスの予約量及びサービスの使用予約比率パラメータを処理し、サービス毎の特徴値を得る。
【００２４】
サービスの特徴値は、サービスの品質を表すとともに、サービスの推奨度を表すように構成され、特徴値が高いほど表しているサービスの品質が高く、推奨度が高いほど、他のクライアントに推奨する価値がある。
【００２５】
特徴値ストラテジーは使用予約比率パラメータを含み、使用予約比率パラメータはサービスの使用量とサービスの予約量の比率であり、サービスの予約量及び各サービスの使用量に基づいて使用予約比率パラメータを確定する。サービスの予約量を単一に使用すること又はサービスの使用量を単一に使用することと比較して、あるクライアントが一部のサービスを過度に集中的に使用してこれらのサービスの特徴値が高くなり過ぎる問題を解決することができる。上記のサービスが広く使用されない且つ特徴値が比較的高い特徴を有する場合、他のクライアントのユーザに使用を推奨する高い価値を有しない。特徴値ストラテジーにおいて、使用予約比率パラメータ及びサービスの使用量に基づいてサービスの特徴値を確定するので、広範囲に予約された且つ大量に使用されたサービスの特徴値が相対的に高く、広範囲に予約されなかった且つ大量に使用されたサービス及び広範囲に予約された且つ大量に使用されなかったサービスの特徴値が相対的に低い。
【００２６】
ステップＳ１０３：前記クライアントのグラフィカルインターフェースを呼び出して前記サービスの特徴値のランキング結果を表示する。
【００２７】
クライアントがサービスリストを要求する場合、ユーザのサービス予約の際の参照となるサービスの特徴値の降順ランキング結果をクライアントに送信して、クライアントに自身のグラフィカルインターフェースを呼び出して表示させるように指示することができる。ユーザが予約サービスをトリガーした場合、クライアントによって送信されて要求された予約サービスの識別子（例えばサービス名称又は番号）に基づいて、該クライアントに対応するサービスのデータ（例えば、クライアントのグラフィカルインターフェースで対応するサービスを表示するためのインストール命令）を送信する。広範囲に予約された且つ大量に使用されたサービスの特徴値が相対的に高いので、該サービスを使用しないユーザに推奨する価値がより高く、ユーザによって選択された特徴値が高いサービスの品質は、特徴値が低いサービスの品質よりもっと高い。
【００２８】
上記の実施形態において、グローバル次元からサービスの予約量及びサービスの使用量を確定したので、取得されたサービスの特徴値は、サービスが全てのユーザに使用される状況を表すことができる。本発明の実施形態のもう一つの様態において、ローカル次元（特定タイプのクライアント、ユーザの性別、年齢、区域、教育と収入などにより異なるグループに分けられたクライアント）からサービスの予約量及び使用量を確定したので、取得されたサービスの特徴値は、サービスがローカル次元のユーザに使用される状況を表すことができる。図２に示すサービス処理方法の好ましいプロセスは、以下のステップを含む。
【００２９】
ステップＳ２０１：クライアントのサービス使用情報に基づいて、ローカル次元におけるサービスの予約量及びローカル次元におけるサービスの使用量を確定する。
【００３０】
ここでのローカル次元は下記の少なくとも１つを採用することができる。
【００３１】
１）クライアント地域であり、即ちクライアントの地理位置である。地理位置は、省、都市などの行政区域で区分してよく、地理グリッドを採用してよい。
【００３２】
２）クライアントユーザの年齢層であり、異なるクライアントユーザの年齢情報は、ユーザがクライアントの使用のために登録した個人情報を使用してよい。
【００３３】
３）クライアントユーザの性別であり、異なるクライアントユーザの性別情報は、ユーザがクライアントの使用のために登録した個人情報を使用してよい。
【００３４】
４）クライアントユーザの性別であり、異なるクライアントユーザの性別情報は、ユーザがクライアントの使用のために登録した個人情報を使用してよい。
【００３５】
５）クライアントとソーシャル関係を有しているクライアントであり、ＷｅＣｈａｔにおいてＷｅＣｈａｔ友人であってよく、ＱＱにおいてＱＱ友人又は他のグループの連絡先であってよい。
【００３６】
ローカル次元におけるサービスの予約量及びローカル次元におけるサービスの使用量を確定することは、以下の方式を採用してよい。クライアントによって送信されたサービス使用情報からローカル次元のクライアントによって送信されたサービス使用情報を選別し、ローカル次元のクライアントのサービス使用情報を解析し、ローカル次元のクライアントにおける各クライアントによって予約されたサービス及び各クライアントによって使用された予約サービスの数を確定する。サービスの識別子によってサービスを予約するクライアントの数が、ローカル次元のサービスの予約量であることを解析し、サービスの識別子によってローカル次元のクライアントによって使用されたサービスの回数が、ローカル次元のサービスの使用量であることを解析する。
【００３７】
以下、サービスの異なる例示を参照して説明する。
【００３８】
１）ＷｅＣｈａｔ顔文字であるサービスを例として説明する。クライアント（ＷｅＣｈａｔを実行するクライアント）は、クライアント自身が予約（この予約はダウンロードしてインストールすることである）した顔文字、及び予約した顔文字の使用量（１つの顔文字シンボルを送信するのは予約の顔文字を一回使用することに相当する）をサーバに送信する。サーバは、ＷｅＣｈａｔ顔文字の識別子（名称又は番号）に基づいて全てのクライアントにおける同じＷｅＣｈａｔ顔文字を予約したクライアントの数、及び該ＷｅＣｈａｔ顔文字を予約したクライアントが該ＷｅＣｈａｔ顔文字を使用する回数（即ち使用量）を解析することができる。
【００３９】
２）ゲームであるサービスを例として説明する。クライアント（ＷｅＣｈａｔを実行するクライアント）は、クライアント自身が予約（この予約はダウンロードしてインストールすることである）したゲーム及び予約したゲームの使用量（ゲームを一回実行するのは一回使用することに相当する）をサーバに送信する。サーバは、ゲームの識別子（名称又は番号）に基づいて全てのクライアントにおける同じゲームを予約したクライアントの数及び該ゲームを予約したクライアントが、該ゲームを使用する回数（即ち使用量）を解析することができる。
【００４０】
３）Ｅ−ショッピングであるサービスを例として説明する。クライアント（ＷｅＣｈａｔを実行するクライアント）は、クライアント自身が予約（この予約はＥ−ショッピングアプリケーションをダウンロードしてインストールすることである）したＥ−ショッピングサービス（例えば、各販売業者によって提供された各自のＥ−ショッピングプラットフォームでの商品購買のサービス）及び予約したＥ−ショッピングの使用量（Ｅ−ショッピングアプリケーションを一回実行するのは一回使用することに相当する）をサーバに送信する。サーバは、Ｅ−ショッピングアプリケーションの識別子（例えば名称又は番号）に基づいて全てのクライアントにおける同じＥ−ショッピングサービスを予約したクライアントの数及び該Ｅ−ショッピングサービスを予約したクライアントが、該Ｅ−ショッピングサービスを使用する回数（即ち使用量）を解析することができる。
【００４１】
４）フード注文であるサービスを例として説明する。クライアント（ＷｅＣｈａｔを実行するクライアント）は、クライアント自身が予約（この予約はフード注文サービス機能をダウンロードしてインストールすることである）したフード注文サービス（例えばｍｅｉｔｕａｎテイクアウェイやｅｌｅｍｅテイクアウェイ）及び予約したフード注文サービスの使用量（フード注文サービス機能を一回実行するのは一回使用することに相当する）をサーバに送信する。サーバは、フード注文サービスの識別子（例えば名称又は番号）に基づいて全てのクライアントにおける同じフード注文サービスを予約したクライアントの数、及び該フード注文サービスを予約したクライアントが、該フード注文サービスを使用する回数（即ち使用量）を解析することができる。
【００４２】
ステップＳ２０２：特徴値ストラテジーに基づいてサービスの予約量及びサービスの使用予約比率パラメータを処理し、各サービスの特徴値を得る。
【００４３】
サービスの特徴値は、サービスの品質を表すように構成されることができ、サービスの推奨度と関連することができ、特徴値が高いほど表しているサービスの品質がより高く、他のクライアントに推奨する価値がある。
【００４４】
ステップＳ２０３：クライアントのグラフィカルインターフェースを呼び出して前記ローカル次元のサービスの特徴値のランキング結果を表示する。
【００４５】
例えば、サービスが少なくとも１つのローカル次元における特徴値ランキング結果をユーザに表示し、例えば、ＷｅＣｈａｔ顔文字に対して、異なる年齢層のクライアントのユーザが使用した顔文字の特徴値ランキング結果を表示し、又は、異なる区域にあるクライアントのユーザが使用した顔文字の特徴値ランキング結果を表示する。
【００４６】
または、異なる候補のローカル次元、例えば、年齢層次元、地域次元などを表示して、ユーザは、需要に応じて選択してあるローカル次元におけるサービスの特徴値ランキング結果を見ることができる。
【００４７】
クライアントがサービスリストを要求する場合、サービスの特徴値の降順ランキング結果をクライアントに送信して、ユーザがサービスを予約する参照とすることができる。ユーザが予約サービスをトリガーした場合、クライアントによって送信されて要求された予約サービスの識別子（例えばサービス名称又は番号）に基づいて、該クライアントに対応するサービスのデータ（例えば、クライアントのグラフィカルインターフェースで対応するサービスを表示するためのインストール命令）を送信する。
【００４８】
本発明の実施形態のもう一つの様態において、サービス処理方法を提供し、サービスの特徴値に基づいてサービスに対してランク付けし、クライアントにランキング結果を表示させ、これによってユーザがランキング結果を参照してサービスを予約することができる。ここでのサービスは、クライアント（例えばＷｅＣｈａｔ、ＱＱなど）で予約でき、クライアントで使用できるオフラインサービス又はオンラインサービスである。オンラインサービスは、ゲーム、Ｅ−ショッピング（例えば、ユーザはクライアントでｊｉｎｇｄｏｎｇショッピングサービスを予約して、ｊｉｎｇｄｏｎｇショッピングサービスを使用して商品を注文してよい）、チャットの顔文字（クライアントで通信するときに使用できる顔文字であり、例えば、ユーザはクライアントでチャット顔文字を予約して、クライアントを使用して他のクライアントと通信するときに該顔文字のシンボルを使用してよい）、および表示テーマ（クライアントが置き換えることができる表示効果であり、１つのテーマを予約すれば、クライアントのデフォルトテーマの代わりに該テーマを使用するように、クライアントで設定して、クライアントの表示効果のパーソナライズを実現することができる）。サービスはオフラインサービスを含めてよく、飲食、ハウスキーピングなどである。例えば、ユーザは、クライアントでＫＦＣテイクアウェイサービスを予約する場合、、この後、該サービスを使用してＫＦＣレストランのテイクアウェイフードを注文することができる。
【００４９】
図３はサービス処理方法の１つの好ましいプロセスを示す図であり、以下のステップを含む。
【００５０】
ステップＳ３０１：クライアントのサービス使用情報に基づいて、ローカル次元のサービスの予約量及びローカル次元のサービスの使用量を確定する。
【００５１】
ここでのローカル次元は下記の少なくとも１つを採用することができる。
【００５２】
１）クライアント地域であり、即ちクライアントの地理位置である。地理位置は、省、都市などの行政区域で区分してよく、地理グリッドを採用してよい。
【００５３】
２）クライアントユーザの年齢層であり、異なるクライアントユーザの年齢情報は、ユーザがクライアントの使用のために登録した個人情報を使用してよい。
【００５４】
３）クライアントユーザの性別であり、異なるクライアントユーザの性別情報は、ユーザがクライアントの使用のために登録した個人情報を使用してよい。
【００５５】
４）クライアントユーザの性別であり、異なるクライアントユーザの性別情報はユーザがクライアントの使用のために登録した個人情報を使用してよい。
【００５６】
５）クライアントとソーシャル関係を有しているクライアントであり、ＷｅＣｈａｔにおけるＷｅＣｈａｔ友人であってよく、ＱＱにおけるＱＱ友人又は他のグループの連絡先であってよい。
【００５７】
ローカル次元におけるサービスの予約量及びローカル次元におけるサービスの使用量を確定することは、以下の方式を採用してよい。クライアントによって送信されたサービス使用情報からローカル次元のクライアントによって送信されたサービス使用情報を選別し、ローカル次元のクライアントのサービス使用情報を解析し、ローカル次元のクライアントにおける各クライアントによって予約されたサービス及び各クライアントによって使用された予約サービスの数を確定する。サービスの識別子によってサービスを予約するクライアントの数がサービスのローカル次元の予約量であることを解析し、サービスの識別子によってサービスのローカル次元のクライアントによって使用されたサービスの回数が、ローカル次元のサービスの使用量であることを解析する。
【００５８】
以下、サービスの異なる例示を参照して説明する。
【００５９】
１）ＷｅＣｈａｔ顔文字であるサービスを例として説明する。クライアント（ＷｅＣｈａｔを実行するクライアント）は、クライアント自身が予約（この予約はダウンロードしてインストールすることである）した顔文字及び予約した顔文字の使用量（１つの顔文字シンボルを送信するのは予約の顔文字を一回使用することに相当する）をサーバに送信する。サーバはＷｅＣｈａｔ顔文字の識別子（名称又は番号）に基づいて全てのクライアントにおける同じＷｅＣｈａｔ顔文字を予約したクライアントの数及び該ＷｅＣｈａｔ顔文字を予約したクライアントが該ＷｅＣｈａｔ顔文字を使用する回数（即ち使用量）を解析することができる。
【００６０】
２）ゲームであるサービスを例として説明する。クライアント（ＷｅＣｈａｔを実行するクライアント）は、クライアント自身が予約（この予約はダウンロードしてインストールすることである）したゲーム及び予約したゲームの使用量（ゲームを一回実行するのは一回使用することに相当する）をサーバに送信する。サーバは、ゲームの識別子（名称又は番号）に基づいて全てのクライアントにおける同じゲームを予約したクライアントの数及び該ゲームを予約したクライアントが該ゲームを使用する回数（即ち使用量）を解析することができる。
【００６１】
３）Ｅ−ショッピングであるサービスを例として説明する。クライアント（ＷｅＣｈａｔを実行するクライアント）は、クライアント自身が予約（この予約はＥ−ショッピングアプリケーションをダウンロードしてインストールすることである）したＥ−ショッピングサービス（例えば、各販売業者によって提供された各自のＥ−ショッピングプラットフォームでの商品購買のサービス）及び予約したＥ−ショッピングの使用量（Ｅ−ショッピングアプリケーションを一回実行するのは一回使用することに相当する）をサーバに送信する。サーバは、Ｅ−ショッピングアプリケーションの識別子（例えば名称又は番号）に基づいて全てのクライアントにおける同じＥ−ショッピングサービスを予約したクライアントの数及び該Ｅ−ショッピングサービスを予約したクライアントが、該Ｅ−ショッピングサービスを使用する回数（即ち使用量）を解析することができる。
【００６２】
４）フード注文であるサービスを例として説明する。クライアント（ＷｅＣｈａｔを実行するクライアント）は、クライアント自身が予約（この予約はフード注文サービス機能をダウンロードしてインストールすることである）したフード注文サービス（例えばｍｅｉｔｕａｎテイクアウェイやｅｌｅｍｅテイクアウェイ）及び予約したフード注文サービスの使用量（フード注文サービス機能を一回実行するのは一回使用することに相当する）をサーバに送信する。サーバは、フード注文サービスの識別子（例えば名称又は番号）に基づいて全てのクライアントにおける同じフード注文サービスを予約したクライアントの数及び該フード注文サービスを予約したクライアントが該フード注文サービスを使用する回数（即ち使用量）を解析することができる。
【００６３】
Ｓ３０２：特徴値ストラテジーに基づいてサービスの予約量及びサービスの使用予約比率パラメータを処理し、前記サービス毎の特徴値を得る。
【００６４】
サービスの特徴値は、サービスの品質を表すように構成されることができ、サービスの推奨度と関連することができ、特徴値が高いほど表しているサービスの品質がより高く、他のクライアントに推奨する価値がある。
【００６５】
ステップＳ３０３：クライアントの属性情報と候補のローカル次元の属性情報をマッチングし（又は照合し）、マッチング度が最も高い少なくとも１つのローカル次元を得る。
【００６６】
クライアントの属性情報は上記のクライアント地域、クライアントユーザの年齢層、クライアントユーザの性別のうちの１つ又は複数であってよい。
【００６７】
クライアント地域次元を例として説明する。クライアントの属性情報が「エリア１」であれば、クライアントユーザが現在に地理地域「エリア１」にあることを表し、エリア１と候補ローカル次元の属性情報をマッチングし、「エリア１」である属性情報、又はエリア１における地理位置を属性情報とする候補ローカル次元（マッチング度が最も高い）を優先に選択する。次に、属性情報がエリア１を含んでいる候補ローカル次元を選択してよい。例えば、候補ローカル次元の属性情報の「エリア１の１１号ビル」、「エリア１」、「エリア２」に対して、候補ローカル次元の属性情報の「エリア１」とクライアントの属性情報の「エリア１」が完全にマッチングし、候補ローカル次元の属性情報の「エリア１の１１号ビル」とクライアントの属性情報「エリア１」のマッチング度が最も高い。
【００６８】
クライアントユーザの年齢層を例として説明する。クライアントの属性情報が「２０」であれば、クライアントユーザの年齢が２０であることを表し、２０と候補ローカル次元の属性情報をマッチングし、「２０」である属性情報の候補ローカル次元（マッチング度が最も高い）を優先的に選択し、又は、２０を基準として上下の変動値が２である属性情報を有している候補ローカル次元（マッチング度が２番目に高い）を選択する。
【００６９】
クライアントユーザの性別を例として説明する。クライアントの属性情報が「男」であれば、クライアントユーザの性別が男であることを表し、「男」である属性情報と候補ローカル次元の属性情報をマッチングし、「男」である属性情報を有している候補ローカル次元（マッチング）を選択する。
【００７０】
上記の次元が任意に組み合わせることができ、例えば、クライアント地域次元＋クライアントユーザの年齢層の組合せを例として説明する。クライアントの属性情報が「エリア１」＋「２０」であれば、クライアントユーザが現在位置している地理地域が「エリア１」であり、且つクライアントユーザの年齢が２０であることを表し、エリア１と候補ローカル次元の属性情報をマッチングさせ、「エリア１」である属性情報、又はエリア１における地理位置を属性情報とする候補ローカル次元（マッチング度が最も高い）を優先的に選択する。次に、属性情報がエリア１を含む候補ローカル次元を選択してよい。例えば、候補ローカル次元の属性情報の「エリア１の１１号ビル」、「エリア１」、「エリア２」に対して、候補ローカル次元の属性情報の「エリア１」とクライアントの属性情報の「エリア１」が完全にマッチングし、候補ローカル次元の属性情報の「エリア１の１１号ビル」とクライアントの属性情報「エリア１」のマッチング度が最も高い。上記選出された、「エリア１」とのマッチング度が最も高い候補ローカル次元において、２０と候補ローカル次元の属性情報をマッチングし、「２０」である属性情報の候補ローカル次元（マッチング度が最も高い）を優先的に選択し、又は、２０を基準として上下の変動値が２である属性情報を有する候補ローカル次元（マッチング度が２番目に高い）を選択する。
【００７１】
クライアント地域次元＋クライアントユーザの年齢層＋性別の組合せを例として説明する。クライアントの属性情報が「エリア１」＋「２０」＋「男」であれば、クライアントユーザが現在位置している地理地域が「エリア１」であり、且つクライアントユーザの年齢が２０であり、性別が「男」であることを表し、エリア１と候補ローカル次元の属性情報をマッチングし、「エリア１」である属性情報、又はエリア１における地理位置を属性情報とする候補ローカル次元（マッチング度が最も高い）を優先的に選択する。次に、属性情報がエリア１を含む候補ローカル次元を選択してよい。例えば、候補ローカル次元の属性情報の「エリア１の１１号ビル」、「エリア１」、「エリア２」に対して、候補ローカル次元の属性情報の「エリア１」とクライアントの属性情報「エリア１」が完全にマッチングし、候補ローカル次元の属性情報の「エリア１の１１号ビル」とクライアントの属性情報「エリア１」のマッチング度が最も高い。上記選出された、「エリア１」とのマッチング度が最も高い候補ローカル次元において、２０と候補ローカル次元の属性情報をマッチングし、「２０」である属性情報の候補ローカル次元（マッチング度が最も高い）を優先的に選択し、又は、２０を基準として上下の変動値が２である属性情報を有する候補ローカル次元（マッチング度が２番目に高い）を選択する。
【００７２】
上記選出された、「エリア１」＋「２０」のマッチング度が最も高い候補ローカル次元において、「男」である属性情報と候補ローカル次元の属性情報をマッチングし、「男」である属性情報を有している候補ローカル次元（マッチング）を選択して、「エリア１」＋「２０」＋「男」である属性情報とのマッチング度が最も高い候補ローカル次元を取得する。
【００７３】
ステップＳ３０４：クライアントのグラフィカルインターフェースを呼び出してサービスの特徴値のランキング結果を表示する。
【００７４】
１）ステップＳ３０３において、マッチングされた属性情報がクライアントの地域である場合、クライアントユーザと同じ地理位置にあるクライアントが使用したサービスの特徴値のランキング結果を表示する。
【００７５】
２）ステップＳ３０３において、マッチングされた属性情報がクライアントユーザの年齢層である場合、クライアントユーザと同じ年齢層であるクライアントが使用したサービスの特徴値のランキング結果を表示する。
【００７６】
３）ステップＳ３０３において、マッチングされた属性情報がクライアントユーザの性別である場合、クライアントユーザと同じ性別であるクライアントが使用したサービスの特徴値のランキング結果を表示する。
【００７７】
４）ステップＳ３０３において、マッチングされた属性情報がクライアントの地域＋クライアントユーザの年齢層である場合、クライアントユーザと同じ地理位置にある、同じ年齢層であるクライアントが使用したサービスの特徴値のランキング結果を表示する。
【００７８】
５）ステップＳ３０３において、マッチングされた属性情報がクライアントの地域＋クライアントユーザの年齢層＋性別である場合、クライアントユーザと同じ地理位置にある、同じ年齢層と性別であるクライアントが使用したサービスの特徴値のランキング結果を表示する。
【００７９】
クライアントがサービスリストを要求する場合、クライアント属性情報とのマッチング度が最も高い次元のサービスの特徴値の降順ランキング結果をクライアントに送信することができる。ユーザが予約サービスをトリガーする場合、クライアントによって送信されて要求された予約サービスの識別子（例えばサービス名称又は番号）に基づいて、該クライアントに対応するサービスのデータ（例えば、クライアントのグラフィカルインターフェースで対応するサービスを表示するためのインストール命令）を送信する。
【００８０】
上記の実施形態に続いて、特徴値ストラテジーに基づいてサービスの予約量、サービスの使用予約比率パラメータに対して処理し、各サービスの特徴値を得るという実施形態について説明する。図４に示すように、サービスの特徴値を確定することは以下のステップにより実現される。
【００８１】
ステップＳ４０１：対数演算子又は比率演算子を採用する第一因数を使用して前記サービスの予約量に対して調整処理を行って第一パラメータを得る。
【００８２】
１つの例として、第一パラメータが(download)/taであってよく、又は(download+send)/taであってよく、loga(download)であってよく、ここで、ａは第一因数であり、ｄｏｗｎｌｏａｄはサービスの予約量であり、ｓｅｎｄはサービスの使用量であり、ｔはサービスの登録時間長さである。
【００８３】
ステップＳ４０２：冪指数演算子を採用する第二因数と第三因数を使用して前記サービスの使用予約比率パラメータに対して調整処理を行って第二パラメータを得る。
【００８４】
１つの例として、第二パラメータが1+k(send/download)bであり、ここで、ｋは第二因数であり、ｂは第三因数である。
【００８５】
ステップＳ４０３：前記第一パラメータと前記第二パラメータに基づいて前記サービスの特徴値を確定する。
【００８６】
１つの例として、ｙを使用して特徴値を表す場合、特徴値は以下のいずれか一つの式を採用して表してよい。
【００８７】
【数１】
0006585820.tif 000002
特徴値の計算式に指数函数を導入することは、登録時間長さが長いサービスの累計の使用量によって特徴値が高くなる問題を除去することができ、新しくオンラインする且つ品質が高いサービスがより高い特徴値を有するようにすることによって、特徴値のランキングにおいてユーザの注目を容易に得ることができる。以下、ＷｅＣｈａｔ顔文字サービスのテストデータを例として説明する。
【００８８】
図５〜図７は式（１）に基づくｙ値の変化を示す図であり、横座標がｔ、ｋなどの因数可変パラメータの値であり、縦座標がｙの値である。
【００８９】
図５に示すように、曲線５１が関数５０／（ｔ＾１．７）であり、曲線５２が関数１５０／（（ｋ−９）＾１．７）であり、曲線５３が顔文字Ｂ（及び顔文字Ｃに対し、顔文字Ｂと顔文字Ｃの登録時間長さが顔文字Ａより９時間遅れ）に対するｙの曲線であり、関数３００／（（ｋ＋９）＾１．７）によって表される。ａの値が１．７である場合、先にオンラインされた顔文字Ａの表現点数（特徴値）が５時間以降で顔文字Ｂと顔文字Ｃより低い。顔文字Ａがより大きいダウンロード量（予約量に対応する）と送信人数（使用量に対応する）でなければ、顔文字Ａの表現点数が低くなるので特徴値のランキングが低くなる。
登録時間が長い顔文字のランキングがより速く低下するように所望すれば、１．７より大きいａ値を設定してよく、ａ値が大きければ大きいほど登録時間が長い顔文字の特徴値のランキングがより速く低下する。図６に示された顔文字の送信人数とダウンロード数の比率が０．５である場合、ｙがａに従って変換する曲線は、曲線６１と曲線６２であり、ここで、ｂ、ｋの値は１であり、曲線６１が関数５００＊１．５／（ｔ＾２）によって表され、曲線６２が５００＊１．５／（ｔ＾１．１）によって表される。
ｋはサービスが顔文字使用に対する重要度によって設定されてよく、より多いユーザが顔文字をダウンロード及び使用するように所望すれば、ｋ値をより大きいパラメータに設定してよい。顔文字のダウンロード数と送信人数のみ関心すれば、ｋを０に設定してよい。図７は曲線７１と曲線７２を示し、曲線７１が関数５００＊（１／４）／（ｔ＾１．７）によって表され、曲線７２が関数５００＊（２／３）／（ｔ＾１．７）によって表される。顔文字Ａのダウンロード人数が４００であり、送信人数が１００である場合、顔文字Ｂのダウンロード人数が３００であり、送信人数が２００である場合、顔文字Ｂの特徴値は顔文字Ａより高い。
【００９０】
上記の実施形態に続いて説明する。図８に示すように、図４に基づいて、顔文字が異なるローカル次元における特徴値を確定した後、以下のステップを実行してよい。
【００９１】
ステップＳ４０４：登録時間長さが予約時間長さを超え（即ち登録時間長さが比較的長い）、且つ特徴値が予約特徴値を超えた顔文字の数が予約数より高いかどうかを判断し、そうである場合、登録時間長さがより長い顔文字の特徴値が普通に大きいことを表し、登録時間長さが予約時間長を超え（即ち登録時間長さが比較的長い）、且つ特徴値が予約特徴値を超える顔文字の数が予約数より小さいまで、ａ（即ち第一因数）を調整するステップＳ４０５を実行する必要がある。これにより、登録時間が比較的長くない顔文字の特徴値を向上させ、更に、特徴値ランキング結果におけるランキングを向上させて、ユーザが、登録時間が比較的長くないが、推奨度が比較的高い顔文字を容易に注目できるようにする。ステップＳ４０４において、そうではないと判断した場合、登録時間長さが比較的長い顔文字の特徴値が普通に大きくないことを表し、クライアントに現在の特徴値ランキング結果を表示する。
【００９２】
ＷｅＣｈａｔ顔文字であるサービスを例として、サーバとクライアントの相互作用でＷｅＣｈａｔ顔文字の特徴値ランキングを実現することに対して説明する。ここでのクライアントがＷｅＣｈａｔクライアントであり、スマートフォン、タブレットなどの端末装置において実行されてよく、サーバが単独なサーバであってよく、又はサーバグループであってよく、以下、サーバと称する。クライアントがセルラー通信、ＷｉＦｉなどの形態でサーバにアクセスしてよい。図９に示すように、各クライアント（クライアント１００、クライアント２００、クライアント３００）は、サーバ４００にＷｅＣｈａｔ顔文字の使用情報を定期に送信してよい。ＷｅＣｈａｔ顔文字の使用情報は、クライアントによってダウンロードされた顔文字及び各クライアントが異なる顔文字を送信した回数（ここで、クライアントが一つの顔文字テーマにおける一つの顔文字を送信することは、顔文字を一回送信することに相当する）を含む。サーバ４００は、各クライアントによって送信されたＷｅＣｈａｔ顔文字使用情報に基づいて、グローバル次元のＷｅＣｈａｔ顔文字の特徴値を確定し且つランキングする。異なるグループ（即ちローカル次元であり、例えば、異なる年齢層グループ、異なる地域グループ、ＷｅＣｈａｔ友人グループなど）において、クライアントによって使用された異なるＷｅＣｈａｔ顔文字の特徴値を確定し且つ特徴値をランキングすることができ、具体的な実現方法が上記実施形態の説明を参照する。
【００９３】
図１０に示すように、図９に基づいて、クライアント１００がＷｅＣｈａｔ顔文字の特徴値のランキング１０１を要求する場合、サーバ４００はクライアント１００のユーザの年齢、性別情報に基づいて、クライアント１００のユーザに対応するグループを確定し、該グループにおけるＷｅＣｈａｔ顔文字の特徴値のランキング結果１０２をクライアント１００に送信して表示し、クライアント１００のユーザによって選択される。
【００９４】
図１１に示すように、図９に基づいて、クライアント１００がＷｅＣｈａｔ顔文字の特徴値のランキング１１１を要求する場合、サーバ４００はクライアント１００のユーザの年齢、性別情報を受信せず、クライアント１００に異なる性別、年齢を含むグループの選択リスト１１２を送信し、クライアント２００のユーザに、対応するグループのＷｅＣｈａｔ顔文字の特徴値のランキング結果を選択するかどうかの判断を促し、クライアント１００が対応する年齢、性別情報を選択する場合、サーバ４００は、クライアント１００のユーザが選択するように、クライアント１００のユーザの年齢、性別情報に基づいて対応するグループのＷｅＣｈａｔ顔文字の特徴値のランキング結果１１３をクライアント１００に送信する。
図１２に示すように、図９に基づいて、クライアント１００がＷｅＣｈａｔ顔文字の特徴値のランキング１２１を要求する場合、サーバ４００は、クライアント１００のユーザのＷｅＣｈａｔ友人を受信し、クライアント１００のユーザのＷｅＣｈａｔ友人グループによって使用されたＷｅＣｈａｔ顔文字の特徴値のランキング結果１２２をクライアント１００に送信して、クライアント１００のユーザに自分の友人によって使用されたＷｅＣｈａｔ顔文字の特徴値のランキングを確認させ、クライアント１００のユーザが、使用しようとするＷｅＣｈａｔ顔文字を選択するようにする。
【００９５】
上記サーバ４００の機能の構成について続いて説明し、図１３はサーバ４００の一つの好ましい機能構成を示す。サーバ４００は、確定ユニット４１０、特徴値処理ユニット４２０、及び呼び出しユニット４３０を備える。
【００９６】
確定ユニット４１０は、クライアントのサービス使用情報に基づいて、サービスの予約量及びサービスの使用量を確定するように構成される。
【００９７】
特徴値処理ユニット４２０は、特徴値ストラテジーに基づいてサービスの予約量、サービスの使用予約比率パラメータに対して処理して、サービス毎の特徴値を得るように構成される。ここで、サービスの使用予約比率パラメータは、前記サービスの予約量及び各サービスの使用量により確定される。
【００９８】
呼び出しユニット４３０は、クライアントのグラフィカルインターフェースを呼び出してサービスの特徴値のランキング結果を表示するように構成される。
【００９９】
一つの例示的な例として、確定ユニット４１０は、グローバル次元のサービスの予約量及びグローバル次元のサービスの使用量を確定するように構成され、及び／又は
ローカル次元のサービスの予約量及びローカル次元のサービスの使用量を確定するように構成される。
【０１００】
一つの例示的な例として、呼び出しユニット４３０は、前記クライアントのグラフィカルインターフェースを呼び出してグローバル次元のサービスの特徴値のランキング結果を表示するように構成され、及び／又は
クライアントのグラフィカルインターフェースを呼び出してローカル次元のサービスの特徴値のランキング結果を表示するように構成される。
【０１０１】
一つの例示的な例として、呼び出しユニット４３０は、
クライアントの属性情報と候補ローカル次元の属性情報をマッチングし、マッチング度が最も高い少なくとも１つのローカル次元を得るように構成されるマッチングモジュールと、
クライアントのグラフィカルインターフェースを呼び出してサービスの少なくとも１つのローカル次元における特徴値のランキング結果を表示するように構成される呼び出しモジュール（マッチングモジュールと接続する）と、を備える。
【０１０２】
一つの例示的な例として、特徴値処理ユニット４２０は、
対数演算子又は比率演算子を採用する第一因数を使用してサービスの予約量に対して調整処理を行って第一パラメータを得るように構成される第一演算モジュールと、
冪指数演算子を採用する第二因数と第三因数を使用してサービスの使用予約比率パラメータに対して調整処理を行って第二パラメータを得るように構成される第二演算モジュール（第一演算モジュールと接続する）と、
第一パラメータと前記第二パラメータに基づいて前記サービスの特徴値を確定するように構成される第三演算モジュール（第二演算モジュールと接続する）と、を備える。
【０１０３】
一つの例示的な例として、特徴値処理ユニット４２０は、
登録時間長さが予め設定された時間長さを超えるとともに、特徴値が予め設定された特徴値を超えるサービスの数が、予め設定された数より小さくなるまで、第一因数を調整するように構成される調整モジュール（第一演算モジュールと接続する）を更に備える。
【０１０４】
実際に応用する場合、確定ユニット４１０、特徴値処理ユニット４２０がサーバ４００におけるマイクロプロセッサー（ＭＣＵ）、プロセッサー（ＣＰＵ）、フィールドプログラマブルゲートアレイ（ＦＰＧＡ）又は専用集積回路によって実現されてよい。呼び出しユニット４３０がサーバ４００におけるネットワーク通信をサポートスル集積回路モジュール又はセルラー通信をサポートする集積回路モジュールによって実現される。
【０１０５】
図１４はサーバ４００における好ましいハードウェアの構成を示し、プロセッサー４４０、入力／出力インターフェース４６０（例えば、ディスプレイ、キーボード、タッチスクリーン、スピーカー、マイクのうちの一つ又は複数）、記憶媒体４７０、およびネットワークインターフェース４５０を備え、部品間がシステムバス４８０を介して接続して通信する。
【０１０６】
記憶媒体はＲＯＭ（例えば、読取専用メモリ、ＦＬＡＳＨメモリ、転送装置）、磁気記憶媒体（例えば、磁気テープ、ディスクドライブ）、光記憶媒体（例えば、ＣＤ−ＲＯＭ、ＤＶＤ−ＲＯＭ、紙カード、紙テープなど）及び他の周知のプログラム記憶装置であってよい。コンピュータ読取可能な媒体にはコンピュータ実行可能な命令が格納され、命令を実行するとき、サーバにおける少なくとも一つのプロセッサーが、以下のステップを実行する。すなわち、前記ステップは、クライアントのサービス使用情報に基づいて、サービスの予約量及び各サービスの使用量を確定し、
特徴値ストラテジーに基づいてサービスの予約量とサービスの使用予約比率パラメータを処理し、サービス毎の特徴値を取得し、ここでのサービスの使用予約比率パラメータは、サービスの予約量及び各前記サービスの使用量により確定され、
クライアントのグラフィカルインターフェースを呼び出してサービスの特徴値のランキング結果を表示することを含む。
【０１０７】
命令を実行するとき、サーバにおける少なくとも一つのプロセッサーが以下のステップを実行し、前記ステップは、
グローバル次元のサービスの予約量及びグローバル次元のサービスの使用量を確定し、及び／又は
ローカル次元のサービスの予約量及びローカル次元のサービスの使用量を確定する事を含む。
【０１０８】
命令を実行するとき、サーバにおける少なくとも一つのプロセッサーが以下のステップを実行し、前記ステップは、
クライアントのグラフィカルインターフェースを呼び出してグローバル次元のサービスの特徴値のランキング結果を表示し、及び／又は
クライアントのグラフィカルインターフェースを呼び出してローカル次元のサービスの特徴値のランキング結果を表示することを含む。
【０１０９】
命令を実行するとき、サーバにおける少なくとも一つのプロセッサーが以下のステップを実行し、前記ステップは、
クライアントの属性情報と候補ローカル次元の属性情報をマッチングし、マッチング度が最も高い少なくとも１つのローカル次元を取得し、
クライアントのグラフィカルインターフェースを呼び出して前記サービスの前記少なくとも１つのローカル次元における特徴値のランキング結果を表示することを含む。
【０１１０】
命令を実行するとき、サーバにおける少なくとも一つのプロセッサーが以下のステップを実行し、前記ステップは、
対数演算子又は比率演算子を採用する第一因数を使用してサービスの予約量に対して調整処理を行って第一パラメータを取得し、
冪指数演算子を採用する第二因数と第三因数を使用してサービスの使用予約比率パラメータに対して調整処理を行って第二パラメータを取得し、
第一パラメータと第二パラメータに基づいてサービスの特徴値を確定することを含む。
【０１１１】
命令を実行するとき、サーバにおける少なくとも一つのプロセッサーが以下のステップを実行し、前記ステップは、
登録時間長さが予め設定された時間長さを超えるとともに、特徴値が予め設定された特徴値を超えるサービスの数が、予め設定された数より小さくなるまで、第一因数を調整することを含む。
【０１１２】
上記のように、本発明の実施形態は、下記の有益な効果を有する。
【０１１３】
１．サービスの特徴値のランキング結果をクライアントに表示するので、登録時間が比較的長いサービスの特徴値が比較的高いことにより、ユーザが、特徴値のランキングで新規登録した推奨度が高いサービスを発見しにくくなる問題を回避して、ユーザが所望のサービスを予約できるようにする。
【０１１４】
２．異なるローカル次元に基づいてクライアントに対応する特徴値ランキング結果を送信するので、クライアントのユーザが、異なるローカル次元のサービスの予約と使用状況を対応的に確認でき、ユーザが適合なサービスを迅速に選別できるようにサポートする。
【０１１５】
本分野の当業者であれば、前記方法の実施形態のすべてのまたは一部のステップを実現することはプログラム命令に関連するハードウェアにより可能であること、前記プログラムはコンピュータ可読記憶媒体に記憶されてもよいこと、該プログラムが実行されるとき、上記の方法実施形態を含むステップが実行されること等が理解される。上記の記憶媒体は、モバイル記憶装置、ランダムアクセスメモリ（ＲＡＭ，Ｒａｎｄｏｍ  Ａｃｃｅｓｓ  Ｍｅｍｏｒｙ）、読取専用メモリー（ＲＯＭ，Ｒｅａｄ−Ｏｎｌｙ  Ｍｅｍｏｒｙ）、磁気ディスク、光ディスクなどの各種のプログラムコードを格納可能な媒体を含む。
【０１１６】
または、本発明の上記の集積したユニットがソフトウェア機能モジュールの形態で実現され、かつ独立した製品として販売または使用される場合、一つのコンピュータ可読記憶媒体に記憶されてもよい。このような理解に基づいて、本発明の実施形態の技術的解決手段は、本質的にソフトウェア製品の形態で実装されることができ、または従来技術に貢献する部分がソフトウェア製品の形態で実装されることができる。当該コンピュータソフトウェア製品が一つの記憶媒体に記憶され、一つのコンピュータ装置（パーソナルコンピュータ、サーバ、またはネットワーク装置などであってもよい）に本発明の各実施形態に記載された方法のすべてまたは一部を実行させるための若干の命令を含む。前記記憶媒体は、移動記憶装置、ＲＡＭ、ＲＯＭ、磁気ディスクまたは光ディスクなどの様々な、プログラムコードを記憶できる媒体を含む。
【０１１７】
上記は、本発明の具体的な実施形態に過ぎず、本発明の保護範囲を限定するものではない。本発明に開示された技術範囲内に、いずれかの当業者が簡単に想到できる変化又は置き換えは、本発明の保護範囲内に含まれるべきである。従って、本発明の保護範囲は、特許請求の範囲の記載に基づくべきである。
【図１】
0006585820.tif 000005
【図２】
0006585820.tif 000006
【図３】
0006585820.tif 000007
【図４】
0006585820.tif 000008
【図５】
0006585820.tif 000009
【図６】
0006585820.tif 000010
【図７】
0006585820.tif 000011
【図８】
0006585820.tif 000012
【図９】
0006585820.tif 000013
【図１０】
0006585820.tif 000014
【図１１】
0006585820.tif 000015
【図１２】
0006585820.tif 000016
【図１３】
0006585820.tif 000017
【図１４】
0006585820.tif 000018